(57)【特許請求の範囲】
【請求項１】
廃棄物を収容する収容空間を形成するように凹状に形成されると共に該収容空間と連通する開口部を有する収容部を備えた廃棄物の最終処分場における収容部の閉塞方法であって、
ローム層から採取したローム土が圧縮されて透水係数が１×１０−５ｃｍ／秒以下となる圧縮層を収容部に収容された廃棄物上に形成し、該圧縮層で収容部を閉塞することを特徴とする廃棄物の最終処分場における収容部の閉塞方法。
【請求項２】
収容部に収容された廃棄物上に前記ローム土を敷き詰める敷き詰め工程と、該敷き詰め工程で敷き詰められたローム土を圧縮して圧縮層を形成することで収容部を閉塞する圧縮工程とを備えることを特徴とする請求項１に記載の廃棄物の最終処分場における収容部の閉塞方法。
【請求項３】
前記圧縮層は、前記開口部を覆うように形成されると共に、前記開口部と重なる領域の内側から外側に向かって高さが低くなるように傾斜した傾斜部を備えるように形成されることを特徴とする請求項１又は２に記載の廃棄物の最終処分場における収容部の閉塞方法。
【請求項４】
前記圧縮層は、前記開口部を覆うように形成されており、
前記圧縮層における前記開口部と重なる領域の外側へ圧縮層上の水を排水する排水設備を圧縮層上に設けることを特徴とする請求項１乃至３の何れか一項に記載の廃棄物の最終処分場における収容部の閉塞方法。
【請求項５】
前記圧縮層を覆うように盛り土を行って盛土層を形成することを特徴とする請求項１乃至４の何れか一項に記載の廃棄物の最終処分場における収容部の閉塞方法。
【請求項６】
廃棄物を収容する収容空間を形成するように凹状に形成されると共に該収容空間と連通する開口部を有する収容部を備えた廃棄物の最終処分場であって、
ローム層から採取したローム土が圧縮されて透水係数が１×１０−５ｃｍ／秒以下となる圧縮層が収容部に収容された廃棄物上に形成され、該圧縮層で収容部が閉塞されることを特徴とする廃棄物の最終処分場。
【請求項７】
前記圧縮層は、前記開口部を覆うように形成されると共に、前記開口部と重なる領域の内側から外側に向かって高さが低くなるように傾斜した傾斜部を備えることを特徴とする請求項６に記載の廃棄物の最終処分場。
【請求項８】
前記圧縮層は、前記開口部を覆うように形成されており、
前記圧縮層における前記開口部と重なる領域の外側へ圧縮層上の水を排水する排水設備を圧縮層上に更に備えることを特徴とする請求項６又は７に記載の廃棄物の最終処分場。
【発明の詳細な説明】
【技術分野】
【０００１】
本発明は、廃棄物の最終処分場における収容部の閉塞方法、及び、廃棄物の最終処分場に関する。
【背景技術】
【０００２】
事業活動によって排出される産業廃棄物や、一般家庭から排出される生活廃棄物の最終処分として、埋立処分が行われている。このような廃棄物の埋め立て処分を行う最終処分場としては、廃棄物を収容する収容空間を形成する凹状の収容部を備えるものが知られている（特許文献１参照）。該収容部は、収容空間と連通する開口部を備えており、該開口部から収容空間に廃棄物を搬入可能に構成されている。
【０００３】
そして、斯かる最終処分場では、所定量の廃棄物が収容部に収容されると、収容部の開口部を覆うように所定厚みの覆土を設けることで、開口部が閉塞される。これにより、斯かる最終処分場での廃棄物の処理が終了する（最終処分場が閉鎖される）ことになる。
【０００４】
ところで、最終処分場が閉鎖された状態であっても、収容部の内側から外側へ水の浸出が生じる場合がある。斯かる場合には、浸出した水（以下では、浸出水とも記す）は、最終処分場に隣接設置された水処理設備で処理された後、公共水域などに放流されることになる。このため、浸出水の水量が多くなるほど、水処理設備にかかる負荷が増加し、水処理費用が嵩むことになるため、浸出水の水量を少なくすることが要求されている。
【０００５】
上記のような浸出水は、収容部内の廃棄物が保有していた水分だけでなく、覆土を透過して収容部内に侵入した雨水に起因して水量が増加する。このため、収容部内への雨水の浸入を防止するべく、遮水シートで覆土を覆う方法が提案されている（特許文献２参照）。
【先行技術文献】
【特許文献】
【０００６】
【特許文献１】特開２００２−１１３４３７号公報
【特許文献２】特開平１０−０３４１０４号公報
【発明の概要】
【発明が解決しようとする課題】
【０００７】
しかしながら、上記のような方法では、遮水シート自体の価格が比較的高額であるため、より安価な材料を用いた方法が要求されている。また、上記のような遮水シートは、敷設される際に加わる外力や経時的な劣化によって破損する虞があるため、収容部を閉塞した後においても遮水シートの破損箇所から収容部へ雨水が浸入する虞がある。
【０００８】
そこで、本発明は、廃棄物の最終処分場において、より安価に収容部の閉塞を行うことができると共に、閉塞後の収容部への雨水の浸入を効果的に防止することができる収容部の閉塞方法を提供すること、及び、その方法を用いて収容部が閉塞された最終処分場を提供することを課題とする。
【課題を解決するための手段】
【０００９】
本発明に係る廃棄物の最終処分場における収容部の閉塞方法は、廃棄物を収容する収容空間を形成するように凹状に形成されると共に該収容空間と連通する開口部を有する収容部を備えた廃棄物の最終処分場における収容部の閉塞方法であって、ローム層から採取したローム土が圧縮されてなる圧縮層で前記開口部の少なくとも一部を覆うことを特徴とする。
【００１０】
前記開口部の少なくとも一部を覆うように前記ローム土を敷き詰める敷き詰め工程と、該敷き詰め工程で敷き詰められたローム土を圧縮して圧縮層を形成する圧縮工程とを備えることが好ましい。
【００１１】
斯かる構成によれば、ローム層から採取したローム土が圧縮されてなる圧縮層で前記開口部の少なくとも一部を覆うことで、収容部の閉塞を比較的安価で行うことができると共に、閉塞された収容部への雨水の浸入を効果的に防止することができる。
具体的には、ローム層は、日本国内の地盤に広く存在するものであるため、該ローム層から採取されるローム土は、比較的安価に入手することが可能である。このようなローム土を用いて収容部を閉塞することで、比較的安価に収容部の閉塞を行うことが可能となる。
【００１２】
また、ローム土は、圧縮することによって透水係数が小さくなるため、ローム土が圧縮されてなる圧縮層は、従来から一般的な覆土として用いられている土よりも透水性が低いものになる。これにより、ローム土が圧縮されてなる圧縮層を用いて収容部を閉塞することで、圧縮層に接触した雨水が圧縮層を透過するのを効果的に防止することができるため、閉塞された収容部への雨水の浸入を効果的に防止することができる。
【００１３】
また、ローム土は、圧縮された状態であっても、変形可能な柔軟性を有する。このため、圧縮層の下の廃棄物の層が経時的な変化によって部分的に陥没するなどして変形した際にも、斯かる変形に追従して圧縮層が変形することになるため、圧縮層に亀裂や破断等の破損が生じるのを抑制することができる。これにより、閉塞された収容部へ圧縮層の破損箇所を通じて雨水が浸入するのを効果的に防止することができる。
【００１４】
透水係数が１×１０−５ｃｍ／秒以下となるようにローム土を圧縮して圧縮層を形成することが好ましい。
【００１５】
斯かる構成によれば、透水係数が上記の範囲となるようにローム土を圧縮して圧縮層を形成することで、雨水が圧縮層を透過するのを効果的に防止することができるため、圧縮層で閉塞された収容部への雨水の侵入をより効果的に防止することができる。
【００１６】
前記圧縮層は、前記開口部と重なる領域の内側から外側に向かって高さが低くなるように傾斜した傾斜部を備えるように形成されることが好ましい。
【００１７】
斯かる構成によれば、傾斜部を備えるように圧縮層を形成することで、圧縮層上の雨水は、傾斜部上を流れて開口部の外側へ流出することになる。これにより、圧縮層で閉塞された収容部へ開口部側から雨水が浸入するのをより効果的に防止することができる。
【００１８】
前記圧縮層における前記開口部と重なる領域の外側へ圧縮層上の水を排水する排水設備を圧縮層上に設けることが好ましい。
【００１９】
斯かる構成によれば、前記圧縮層における前記開口部と重なる領域の外側へ圧縮層上の水を排水する排水設備を圧縮層上に設けることで、圧縮層上の雨水は、排水設備によって開口部の外側へ排水されることになる。これにより、圧縮層で閉塞された収容部へ開口部側から雨水が浸入するのをより効果的に防止することができる。
【００２０】
前記圧縮層を覆うように盛り土を行って盛土層を形成することが好ましい。
【００２１】
斯かる構成によれば、前記圧縮層を覆うように盛土層を形成することで、収容部への雨水の浸入を圧縮層と盛土層とによってより効果的に防止することができる。
【００２２】
本発明に係る廃棄物の最終処分場は、廃棄物を収容する収容空間を形成するように凹状に形成されると共に該収容空間と連通する開口部を有する収容部を備えた廃棄物の最終処分場であって、ローム層から採取したローム土が圧縮されて形成されると共に前記開口部の少なくとも一部を覆うように形成された圧縮層を備えることを特徴とする。
【００２３】
前記圧縮層は、透水係数が１×１０−５ｃｍ／秒以下であることが好ましい。
【００２４】
前記圧縮層は、前記開口部と重なる領域の内側から外側に向かって高さが低くなるように傾斜した傾斜部を備えることが好ましい。
【００２５】
前記圧縮層における前記開口部と重なる領域の外側へ圧縮層上の水を排水する排水設備を圧縮層上に更に備えることが好ましい。
【発明の効果】
【００２６】
以上のように、本発明によれば、廃棄物の最終処分場において、より安価に収容部の閉塞を行うことができると共に、閉塞後の収容部への雨水の浸入を効果的に防止することができる。
【図面の簡単な説明】
【００２７】
【図１】本発明に係る廃棄物の最終処分場における収容部の閉塞方法、及び、最終処分場の一実施形態を示した概略断面図。
【図２】本発明に係る廃棄物の最終処分場における収容部の閉塞方法、及び、最終処分場の他の実施形態を示した概略断面図。
【発明を実施するための形態】
【００２８】
以下、本発明の実施形態について図１を参照しながら説明する。なお、以下の図面において同一または相当する部分には同一の参照符号を付しその説明は繰り返さない。
【００２９】
本実施形態に係る廃棄物の最終処分場における収容部の閉塞方法は、図１に示すように、事業活動によって排出される産業廃棄物や、一般家庭から排出される生活廃棄物の最終処分を行う最終処分場１において用いられるものである。具体的には、最終処分場１は、廃棄物を収容する収容空間Ｒを形成するように凹状に形成された収容部２を備える。該収容部２は、収容空間Ｒと連通する開口部２ａを備える。収容部２は、地盤を所定の深度まで掘削して形成して形成される。また、収容部２の内面には、例えば、遮水シートやアスファルトなどの遮水材（図示せず）が敷設されて遮水性が確保されている。
【００３０】
そして、収容部２内の所定の高さ位置まで収容部２内に廃棄物Ｘが収容された後、本実施形態に係る方法で収容部２が閉塞される。具体的には、ローム層から採取したローム土が圧縮されてなる圧縮層Ｙを収容部２の開口部２ａを覆うように形成することで、収容部２を閉塞する。ローム土は、地盤中のローム層（例えば、関東ローム層など）から採取されたものであることが好ましい。圧縮層Ｙを形成する方法としては、開口部２ａを覆うように前記ローム土を敷き詰める敷き詰め工程と、該敷き詰め工程で敷き詰められたローム土を圧縮して圧縮層を形成する圧縮工程とを行う方法を用いることができる。具体的には、敷き詰め工程と圧縮工程とを複数回繰り返すことで、所定厚みの圧縮層Ｙが形成される。ローム土の圧縮には、地盤の締め固めを行う重機等を用いることができる。
【００３１】
圧縮層Ｙの厚みとしては、特に限定されるものではないが、後述する盛土層との合計厚みが５０ｃｍ以上となるような厚みが好ましい。また、圧縮層Ｙを形成する際のローム土の圧縮度合いとしては、特に限定されるものではなく、圧縮層Ｙの透水係数が１×１０−５ｃｍ／秒以下（具体的には、６×１０−７〜１×１０−５ｃｍ／秒）となるように圧縮することが好ましい。該透水係数は、現場透水試験（地盤工学会  ＪＩＳ  １３１６  立坑法）等を用いて測定することができる。また、圧縮層Ｙを形成する際（圧縮する際）のローム土の含水量としては、特に限定されるものではないが、自然含水比程度であることが好ましい。自然含水比とは、自然状態における土の含水量であり、本実施形態では、地盤中のローム層からローム土を採取した直後の含有量である。例えば、ローム土の含水量（自然含水比）としては、１００％以上２００％以下であってもよく、圧縮層Ｙを形成するためには１５０％程度であることが好ましい。また、圧縮層Ｙは、開口部２ａと重なる領域の内側から外側に向かって高さが低くなるように傾斜した傾斜部Ｙ１を備えることが好ましい。
【００３２】
また、本実施形態では、圧縮層Ｙとその周辺の地盤を覆うように盛り土を行って盛土層Ｚが形成される。該盛土層Ｚは、特に限定されるものではなく、圧縮層Ｙと盛土層Ｚとの合計厚みが５０ｃｍ以上となるように形成されることが好ましい。盛土層Ｚを形成する土としては、特に限定されるものではなく、例えば、植栽可能な土壌を用いることができ、具体的には、黒ボク土等を用いることができる。
【００３３】
以上のように、本発明に係る廃棄物の最終処分場における収容部の閉塞方法、及び、最終処分場によれば、廃棄物の最終処分場において、より安価に収容部の閉塞を行うことができると共に、閉塞後の収容部への雨水の浸入を効果的に防止することができる。
【００３４】
即ち、ローム層から採取したローム土が圧縮されてなる圧縮層Ｙで開口部２ａの少なくとも一部を覆うことで、収容部２の閉塞を比較的安価で行うことができると共に、閉塞された収容部２への雨水の浸入を効果的に防止することができる。
【００３５】
具体的には、ローム層は、日本国内の地盤に広く存在するものであるため、該ローム層から採取されるローム土は、比較的安価に入手することが可能である。このようなローム土を用いて収容部２を閉塞することで、比較的安価に収容部２の閉塞を行うことが可能となる。
【００３６】
また、ローム土は、圧縮することによって透水係数が小さくなるため、ローム土が圧縮されてなる圧縮層Ｙは、従来から一般的な覆土として用いられている土よりも透水性が低いものになる。これにより、ローム土が圧縮されてなる圧縮層Ｙを用いて収容部２を閉塞することで、圧縮層Ｙに接触した雨水が圧縮層Ｙを透過するのを効果的に防止することができるため、閉塞された収容部２への雨水の浸入を効果的に防止することができる。
【００３７】
また、ローム土は、圧縮された状態であっても、変形可能な柔軟性を有する。このため、圧縮層Ｙの下の廃棄物Ｘの層が経時的な変化によって部分的に陥没するなどして変形した際にも、斯かる変形に追従して圧縮層Ｙが変形することになるため、圧縮層Ｙに亀裂や破断等の破損が生じるのを抑制することができる。これにより、閉塞された収容部２へ圧縮層Ｙの破損箇所を通じて雨水が浸入するのを効果的に防止することができる。
【００３８】
また、透水係数が上記の範囲となるようにローム土を圧縮して圧縮層Ｙを形成することで、雨水が圧縮層Ｙを透過するのを効果的に防止することができるため、圧縮層Ｙで閉塞された収容部２への雨水の侵入をより効果的に防止することができる。
【００３９】
傾斜部Ｙ１を備えるように圧縮層Ｙを形成することで、圧縮層Ｙ上の雨水は、傾斜部Ｙ１上を流れて開口部２ａの外側へ流出することになる。これにより、圧縮層Ｙで閉塞された収容部２へ開口部側から雨水が浸入するのをより効果的に防止することができる。
【００４０】
前記圧縮層Ｙを覆うように盛土層Ｚを形成することで、収容部２への雨水の浸入を圧縮層Ｙと盛土層Ｚとによってより効果的に防止することができる。
【００４１】
なお、本発明に係る廃棄物の最終処分場における収容部の閉塞方法、及び、最終処分場は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記の各種の変更例に係る構成や方法等を任意に選択して、上記した実施形態に係る構成や方法等に採用してもよいことは勿論である。
【００４２】
例えば、図２に示すように、圧縮層Ｙと盛土層Ｚとの間に、圧縮層Ｙにおける収容部２の開口部２ａと重なる領域の外側へ圧縮層Ｙ上の水を排水する排水設備３を配置するように構成されてもよい。排水設備３は、複数の管状体３ａから構成される。該管状体３ａは、内側に形成された空間と連通する貫通孔（図示せず）を複数備え、該貫通孔から管状体３ａ内に水が侵入可能に構成されている。また、該管状体３ａは、圧縮層Ｙの傾斜部Ｙ１に沿って配置される。このような管状体３ａから構成される排水設備３を備えることで、管状体３ａにおける貫通孔から管状体３ａ内へ侵入した雨水が管状体３ａと通って圧縮層Ｙの外側へ排出される。
【００４３】
なお、排水設備３としては、上記のように複数の管状体３ａから構成されるもの以外として、例えば、面状に形成された排水シート（例えば、多孔性のシート材）等を圧縮層Ｙ上に敷設することで構成されてもよい。
【００４４】
このように、圧縮層Ｙにおける開口部２ａと重なる領域の外側へ圧縮層Ｙ上の水を排水する排水設備３を圧縮層Ｙ上に設けることで、圧縮層Ｙ上の雨水は、排水設備３によって開口部２ａの外側へ排水されることになる。これにより、圧縮層Ｙで閉塞された収容部２へ開口部２ａ側から雨水が浸入するのをより効果的に防止することができる。
【００４５】
また、上記実施形態では、圧縮層Ｙは、開口部２ａを覆うように前記ローム土を敷き詰める敷き詰め工程と、該敷き詰め工程で敷き詰められたローム土を圧縮して圧縮層を形成する圧縮工程とを行うことで形成されているが、これに限定されるものではなく、例えば、最終処分場とは別な場所で、開口部２ａを覆うことが可能な面積でローム土を敷き詰めて圧縮することで、圧縮層Ｙを形成し、該圧縮層Ｙを開口部２ａ上に搬送して開口部２ａを閉塞するように構成されてもよい。
【００４６】
また、上記実施形態では、収容部２の開口部２ａの全体を圧縮層Ｙが覆うように構成されているが、これに限定されるものではなく、例えば、開口部２ａを部分的に覆うように圧縮層Ｙが形成されてもよい。
【００４７】
また、上記実施形態では、収容部２は、地盤が掘削されて形成されているが、これに限定されるものではなく、例えば、凹状の地形を利用して収容部２が形成されてもよい。
【００４８】
また、上記実施形態では、圧縮層Ｙが傾斜部Ｙ１を備えるように構成されているが、これに限定されるものではなく、例えば、圧縮層Ｙの上面が略水平となるように形成されてもよい。
【００４９】
また、上記実施形態では、圧縮層Ｙは、上面の中央部から外周部へ向かって傾斜するように形成された傾斜部Ｙ１を備えているが、これに限定されるものではなく、圧縮層Ｙの外周部における対向位置の一方側から他方側へ傾斜する傾斜部を備えるように構成されてもよい。
【符号の説明】
【００５０】
１…最終処分場、２…収容部、２ａ…開口部、３…排水設備、３ａ…管状体、Ｒ…収容空間、Ｘ…廃棄物、Ｙ…圧縮層、Ｙ１…傾斜部、Ｚ…盛土層
【図１】
0006670596.tif 000002
【図２】
0006670596.tif 000003